(57)【要約】【課題】液晶表示装置を利用した看板装置において、高い機動性を実現した看板装置を提供する。【解決手段】看板装置１は、画像の表示を行う液晶表示装置１０と、使用者の背中に背負うように装着される背負子部１４と、一端部に液晶表示装置１０を固定し、他端部に背負子部１４を固定し、液晶表示装置１０を使用者の頭上に位置付けるアーム１２と、液晶表示装置１０に電源を供給するバッテリと、液晶表示装置１０とバッテリとを接続する電源ケーブルとを備えており、背負子部１４は、バッテリを収納する収納部を有し、アーム１２は、内部に電源ケーブルを挿通可能なパイプ状部材からなる。【選択図】図１
2012022163.tif 000002
【特許請求の範囲】
【請求項１】
電気的に画像の表示を行う画像表示部と、
使用者の背中に背負うように装着される背負子部と、
一端部に前記画像表示部を固定し、他端部に前記背負子部を固定し、使用者が前記背負子部を背中に装着した場合に前記画像表示部を使用者の頭上に位置付けるアーム部と、
前記画像表示部に電源を供給するバッテリと、
前記画像表示部と前記バッテリとを電気的に接続する電源ケーブルと、
を備え、
前記背負子部は、前記バッテリを収納する収納部を有し、
前記アーム部は、内部に前記電源ケーブルを挿通可能なパイプ状部材からなることを特徴とする看板装置。
【請求項２】
前記アーム部の内部には、実質的に前記電源ケーブルのみが挿通されていることを特徴とする請求項１記載の看板装置。
【請求項３】
前記背負子部を使用者の背中に装着した際に、使用者の背骨のライン上に前記画像表示部の重心が配置されることを特徴とする請求項１又は２記載の看板装置。
【請求項４】
前記画像表示部は、液晶表示パネルと、当該液晶表示パネルの表示の制御を行う表示制御回路と、前記液晶表示パネルに表示させる画像データを記憶している記憶装置と、前記液晶表示パネル、前記表示制御回路、前記記憶装置及びこれらを接続する信号ケーブルを内部に収納する筐体と、を有することを特徴とする請求項１乃至３のいずれか１項記載の看板装置。
【発明の詳細な説明】
【技術分野】
【０００１】
本発明は、液晶表示装置を利用した看板装置に関する。
【背景技術】
【０００２】
従来、例えば、大きなイベントが開催される場合、最寄りの駅からイベント会場までの経路に、イベント会場に案内する情報が描かれている看板を持ったスタッフを数人配置することによって、顧客誘導を行っている。
【０００３】
案内用に使用される看板は、木製の棒の先端部に板を取り付けてなるものが一般的である。この板面に矢印や「５０ｍ先左」といった文字が描かれた紙を貼付し、スタッフは、棒を持って板面を頭上に掲げることにより、板面に表示された情報が周囲の人々に目立つようにしている。
【０００４】
また、看板を宣伝用に使用する場合には、集客効果を向上させるために、店舗情報やサービス情報が描かれた紙を板面に貼付し、スタッフが棒を持って板面を頭上に掲げながら移動することにより、不特定多数の多くの人々に板面の情報が見えるようにすることが、一般的に行われている。
【０００５】
さらに、近年、液晶表示装置の薄型化及び大画面化が進んでおり、液晶表示装置を看板として利用する技術が提案されている。例えば、液晶表示装置を、キャスター付きの補助広告具に設置して移動可能にしたものが提案されている（特許文献１参照）。また、店員が着用するＴシャツに、有機ＥＬフィルムからなるディスプレイが取り付けられたものが提案されている（特許文献２参照）。
【先行技術文献】
【特許文献】
【０００６】
【特許文献１】実用新案登録第３１５０６６８号公報
【特許文献２】特開２００４−１２８３７号公報
【発明の概要】
【発明が解決しようとする課題】
【０００７】
しかしながら、特許文献１の技術においては、補助広告具の移動が可能であるとはいえ、補助広告具を押しながら移動させるために、目的の位置に補助広告具をすばやく移動させることは困難である。
【０００８】
また、特許文献２の技術を応用して、木製の棒の先端部に板を取り付けてなる看板の表示に有機ＥＬフィルムを用いることが考えられる。しかし、この場合には、使用者は、表示装置及びバッテリを携帯しながら移動することになる。また、表示装置自体の重量やバッテリの重量等を考慮すると、前述した看板のように手軽に持ち運び可能にすることは困難であり、まして、広告面を高い位置に掲げながら移動することは、使用者にとって大きな負担となる。したがって、電気的に画像の表示を行う薄型の表示装置を看板として利用する場合には、前述した木製の棒の先端部に板を取り付けてなる看板のような高い機動性を得ることが困難であった。
【０００９】
本発明は、このような問題点を解決し、薄型の表示装置を利用した看板装置において、高い機動性を実現した看板装置を提供することを目的とする。
【課題を解決するための手段】
【００１０】
本発明は、前記目的を達成するため、次に記載する構成を備えている。
【００１１】
（１）  電気的に画像の表示を行う画像表示部と、使用者の背中に背負うように装着される背負子部と、一端部に前記画像表示部を固定し、他端部に前記背負子部を固定し、使用者が前記背負子部を背中に装着した場合に前記画像表示部を使用者の頭上に位置付けるアーム部と、前記画像表示部に電源を供給するバッテリと、前記画像表示部と前記バッテリとを電気的に接続する電源ケーブルと、を備え、前記背負子部は、前記バッテリを収納する収納部を有し、前記アーム部は、内部に前記電源ケーブルを挿通可能なパイプ状部材からなることを特徴とする看板装置。
【００１２】
（１）によれば、使用者が背負子部を背負うことにより、画像表示部を頭上に位置付けられるようになる。これにより、使用者による画像表示部の持ち運びが容易となり、画像表示部が画像の表示を行っている状態で、使用者が移動することによって、周囲の不特定多数の人々に画像表示部の表示画面を視認させることが可能になる。このように、高い機動性を実現した看板装置を提供することが可能になる。また、アーム部の内部に電源ケーブルが挿通されているため、電源ケーブルにおいて外部に露出する部分が少なくなるため、電源ケーブルが引っかかり、電源ケーブルが画像表示部あるいはバッテリから抜けてしまうことが防止される。
【００１３】
（２）  （１）において、前記アーム部の内部には、実質的に前記電源ケーブルのみが挿通されていることを特徴とする看板装置。
【００１４】
（２）によれば、アーム部の内部に、例えば、画像表示部に画像表示させるための信号を送る信号ケーブルのように、画像表示に関わる部材が挿通されていない。このため、電源ケーブルからのノイズよる画像表示部の画像表示に与える影響を低減することが可能になる。
【００１５】
（３）  （１）、（２）において、前記背負子部を使用者の背中に装着した際に、使用者の背骨のライン上に前記画像表示部の重心が配置されることを特徴とする看板装置。
【００１６】
（３）によれば、使用者が画像表示部をバランスよく支持することが可能になり、使用者が体感する重さを軽減することができる。
【００１７】
（４）  （１）〜（３）において、前記画像表示部は、液晶表示パネルと、当該液晶表示パネルの表示の制御を行う表示制御回路と、前記液晶表示パネルに表示させる画像データを記憶している記憶装置と、前記液晶表示パネル、前記表示制御回路、前記記憶装置及びこれらを接続する信号ケーブルを内部に収納する筐体と、を有することを特徴とする看板装置。
【００１８】
（４）によれば、液晶表示パネル、表示制御回路及び記憶装置は、画像表示部の筐体の内部に収納されているため、これらを接続する信号ケーブルが短くて済むようになる。その結果、ノイズを発する信号ケーブル（例えば、ＬＶＤＳケーブル）をできるだけ短くすることが可能になる。
【発明の効果】
【００１９】
本発明によれば、薄型の表示装置を利用した看板装置において、高い機動性を実現した看板装置を提供することが可能になる。
【図面の簡単な説明】
【００２０】
【図１】本発明の一実施形態における看板装置の使用状態を示す斜視図である。
【図２】図１の背面側の斜視図である。
【図３】本発明の一実施形態における看板装置の構成を示す側面図である。
【図４】液晶表示装置の背面図である。
【図５】液晶表示装置の側面図である。
【図６】背負子部の正面図である。
【図７】背負子部に電池が装着されていない状態を示す背負子部の背面図である。
【図８】背負子部に電池が装着された状態を示す背負子部の背面図である。
【図９】本発明の一実施形態における看板装置の制御系の構成を示すブロック図である。
【発明を実施するための形態】
【００２１】
以下、本発明の一実施形態について、図面を参照しながら詳細に説明する。
【００２２】
［看板装置の構成］
図１は本発明の一実施形態における看板装置の使用状態を示す斜視図である。図２は図１の背面側の斜視図である。図３は看板装置１の側面図である。図１、図２に示すように、看板装置１は、電気的に画像の表示を行う液晶表示装置１０と、アーム１２と、背負子部１４とによって構成されている。アーム１２の一端部には、液晶表示装置１０が固定されており、他端部には、背負子部１４が固定されている。そして、使用者が背負子部１４を背中に背負うことにより、液晶表示装置１０が使用者の頭上に位置付けられる。
【００２３】
図３に示すように、アーム１２において、使用者の後頭部近傍に位置する部位は後方に湾曲している。この湾曲形状は、使用者が背負子部１４を背負った際に、液晶表示装置１０の重心が、使用者の背骨のライン上に配置されるように設計されている。
【００２４】
背負子部１４には、ベルト２２、２２、ベルト２３、２３、ベルト２４、２４の一端部が固定されている。ベルト２２、２２は肩付近、ベルト２３、２３は脇腹付近、ベルト２４、２４は腰付近に配置されている。ベルト２２、２２の他端部には、連結具２５ａ、２５ａが設けられている。ベルト２３、２３の他端部には、連結具２５ａ、２５ａに対して着脱自在な連結具２５ｂ、２５ｂが設けられている。また、一方のベルト２４の他端部には、連結具２６ａが設けられている。他方のベルト２３の他端部には、連結具２６ａに対して着脱自在な連結具２６ｂが設けられている。そして、使用者は、背負子部１４を背負って、連結具２５ａと連結具２５ｂ、連結具２６ａと連結具２６ｂとを連結することにより、使用者の背中に背負子部１４が装着される。
【００２５】
また、背負子部１４において、肩に当接する部位には肩当て２７が取り付けられている。また、背負子部１４には、バッテリ２０（図３参照）やアーム１２の他端との連結構造が見えないように、カバー２８が掛けられている。
【００２６】
背負子部１４は、金属板によって形成されており、人間の背中に密着する平面部１５と、人間の肩に掛けるＪ字型の肩掛け部１６とを有している。肩掛け部１６の先端部には、ベルト２２の一端部が取り付けられている。また、背負子部１４の背面における中央上部には、アーム１２の他端部が溶接によって固定されている。また、背負子部１４の背面におけるアーム１２の他端部の下部には、バッテリ２０を収納するための収納部１８が設けられている。
【００２７】
図４は液晶表示装置の背面図である。図４に示すように、液晶表示装置１０を構成する各種の部材が収納される筐体３０の後面の略中央部には、取付板３２がねじ止めによって固定されている。この取付板３２には、アーム１２の一端部が溶接によって固定されている。このため、取付板３２を筐体３０に取り付けることにより、液晶表示装置１０にアーム１２が連結される。また、筐体３０の後面の両側部には、複数のスリットからなる孔部３６が形成されている。筐体３０の内部に設けられたスピーカ３８（図９参照）が孔部３６に対向する。
【００２８】
図５は液晶表示装置の側面図である。筐体３０の前面には、液晶表示パネル５２が配置される。液晶表示パネル５２のサイズは、看板装置１の重さや持ち運びの利便性を考慮すると、２０インチ程度が望ましい。また、筐体３０の側面には、外部コネクタ部１１０（図９参照）が設けられている。外部コネクタ部１１０は、ＵＳＢコネクタ４０、ＤＶＩコネクタ４２、カードスロット４４、入力コネクタ４６及び電源コネクタ４８を有している。ＵＳＢコネクタ４０には、ＵＳＢ端子が接続される。ＤＶＩコネクタ４２には、ＤＶＩ端子が接続される。カードスロット４４には、フラッシュメモリと称される外部カード１１２（図９参照）が挿入され、外部カード１１２（図９参照）がカードスロット４４を介して制御回路１００（図９参照）に接続される。入力コネクタ４６は、外部装置からの接続端子が接続される。電源コネクタ４８とバッテリ２０とは、電源ケーブル５０によって接続される。
【００２９】
アーム１２は、金属パイプ材によって構成されており、この金属パイプ材の内部には、電源ケーブル５０が挿通されている。アーム１２における電源コネクタ４８の近傍の部位には、アーム１２内の電源ケーブル５０を外部に引き出すための孔部１２ａが形成されている。この孔部１２ａから引き出された電源ケーブル５０の一端が電源コネクタ４８に接続される。ここで、アーム１２内には、電源ケーブル５０のみ挿通されており、他のケーブルの類は挿通されていない。ここで、アーム１２の内部には、実質的に電源ケーブル５０のみ挿通されていればよく、例えば、導電性がないひもや、緩衝材といった軽量のものが挿通されていてもよい。
【００３０】
図６は背負子部の正面図である。図７は背負子部の背面図である。背負子部１４の平面部１５は略矩形である。平面部１５の縦幅は人間の背中を覆う程度に設定されている。平面部１５の横幅は人間の肩幅程度に設定されている。平面部１５の上部の両端部には、Ｊ字型に曲げ加工されてなる一対の肩掛け部１６が、人間の首が入る程度の間隔を空けて形成されている。また、平面部１５には、複数の孔部が形成されている。これら複数の孔部は、平面部１５の平面の中心線に対して線対称となるように形成されている。
【００３１】
平面部１５の背面には、矩形で薄型のパネル状のバッテリ２０を収納する収納部１８が固定されている。収納部１８は、背負子部１４を構成する金属板と同一材料の金属板からなる。本実施形態においては、矩形のバッテリ２０を使用しているため、収納部１８も略矩形に構成されている。収納部１８の下部には、バッテリ２０を支持する支持部１８ａが形成されている。この支持部１８ａは側面視でＪ字型のレール状に形成されている。また、収納部１８の両側部の上部には、バッテリ２０の両側部に係合しかつバッテリ２０の水平方向の移動を規制する鉤部１８ｂが形成されている。また、収納部１８には、複数の孔部が形成されている。これら複数の孔部は、収納部１８の平面の中心線に対して線対称となるように形成されている。
【００３２】
平面部１５において、平面部１５の中心軸上でかつ収納部１８の上部に、アーム１２の他端部が溶接されている。また、アーム１２の他端の近傍には、電源ケーブル５０を平面部１５に支持させるための止め具６０が固定されている。アーム１２内に挿通され、アーム１２の他端の孔部から引き出された電源ケーブル５０は、止め具６０によって支持される。
【００３３】
そして、図８に示すように、バッテリ２０を収納部１８に収納し、バッテリ２０に設けられているケーブル接続用のソケットに電源ケーブル５０が接続されることにより、バッテリ２０と液晶表示装置１０とが電気的に接続され、液晶表示装置１０への電源の供給が可能となる。
【００３４】
平面部１５の下方の両側部には、縦に長い長孔１４ａ、１４ａが形成されている。平面部１５の中央の両側部には、縦に長い長孔１４ｂ、１４ｂが形成されている。長孔１４ａ、１４ａには、ベルト２４、２４の一端部が固定されている。なお、ベルト２４、２４に取り付けられている連結具２６ａ、２６ｂには、固定端から連結具２６ａ、２６ｂまでのベルト２４の長さを調節する機能が備えられている。
【００３５】
また、長孔１４ｂ、１４ｂには、ベルト２３、２３の一端部が固定されている。ベルト２３、２３の他端には、連結具２５ｂが設けられている。
【００３６】
肩掛け部１６には、肩当て２７が取り付けられている。肩掛け部１６は、肩当て２７によって覆われている。また、肩掛け部１６、１６の先端部には、ベルト２２、２２の一端部が固定されている。ベルト２２、２２の他端部には、連結具２５ｂが設けられている。
【００３７】
そして、使用者は、使用者の背中に背負子部１４を装着する前、あるいは装着した後に、ベルト２３における固定端から連結具２５ｂ、２５ｂまでの長さ、及びベルト２４、２４における固定端から連結具２６ａ、２６ｂまでの長さを適宜調節することにより、使用者にとって適した装着状態とすることが可能になる。特に、本実施形態においては、背負子部１４が使用者の背中にできるだけ密着するように、ベルト２３の長さを調節することにより、背骨のライン上に液晶表示装置１０を位置付けることが可能になる。これにより、使用者は、体の一部（例えば、腰や腕）に負担をかけることなく、体全体を使って液晶表示装置１０を持ち上げた状態を維持することが可能になる。その結果、液晶表示装置１０によって体感する重さを軽減することが可能になる。
【００３８】
［看板装置の電気的構成］
図９は、本実施形態の制御系を示すブロック図である。看板装置１は、制御回路１００を備える。この制御回路１００は、液晶表示装置１０の全体の制御を行うＣＰＵ１０２及び内蔵メモリ１０４を備えたＬＳＩチップからなる。また、制御回路１００には、液晶駆動回路１０６、外部コネクタ部１１０が接続されている。
【００３９】
制御回路１００は、外部コネクタ部１１０からの入力信号を解析したり、液晶表示パネル５２に表示させる画像データを作成し、液晶駆動回路１０６に送信する等の処理を行う。このように、制御回路１００は、液晶表示パネル５２の表示の制御を行う表示制御回路に相当する。
【００４０】
内蔵メモリ１０４には、液晶表示装置１０を動作させるための各種のプログラムが記憶されている。また、内蔵メモリ１０４は、画像データを作成するための作業フィールドとして使用される。
【００４１】
液晶駆動回路１０６は、制御回路１００から送信された画像データに基づいて液晶表示パネル５２の駆動制御を行い、液晶表示パネル５２に画像データに基づく画像を表示させる。
【００４２】
無線通信回路１０８は、アンテナ１０９を介してインターネット網２００に接続し、センタ・サーバ１５０との間で無線通信を行うものである。
【００４３】
外部コネクタ部１１０には、図５を用いて前述したように、ＵＳＢコネクタ４０、ＤＶＩコネクタ４２、外部カード１１２を挿入するカードスロット４４、入力コネクタ４６及び電源コネクタ４８が設けられている。なお、液晶駆動回路１０６あるいは外部コネクタ部１１０と制御回路１００とを接続する信号ケーブル及び液晶駆動回路１０６と液晶表示パネル５２とを接続する信号ケーブルは、全て筐体３０の内部に収納されている。
【００４４】
［コンテンツの導入方法］
液晶表示装置１０に表示する画像（コンテンツ）は、外部カード１１２から導入される。外部カード１１２に記憶するデータは、液晶表示装置１０に表示させる画像データを作成するためのＷｅｂサイトを利用することによって作成することが可能である。具体的には、インターネット網に接続可能な端末装置（例えば、パーソナルコンピュータ）を用いて、液晶表示装置１０に表示させる画像データを作成するためのＷｅｂサイトに接続し、端末装置のディスプレイに、Ｗｅｂサイトの画面を表示させる。そして、端末装置の操作者が、端末装置のディスプレイを見ながら端末装置を操作することによって、液晶表示装置１０に表示させるコンテンツのデータが作成される。例えば、操作者が、動画データあるいは静止画データを編集したり、あるいは動画データあるいは静止画データに文字データを挿入したり、画面分割といった表示形式を指定する、といった作業を行う。そして、作成したコンテンツのデータは、外部カード１１２に記憶されるか、あるいは、センタ・サーバ１５０にアップロードされる。
【００４５】
コンテンツのデータを外部カード１１２に記憶した場合には、この外部カード１１２をカードスロット４４に挿入することにより、制御回路１００は、スタンド・アローンで作動する。そして、制御回路１００は、外部カード１１２に記憶されているデータを読み取り、このデータに基づく画像を、液晶表示パネル５２に表示させる。
【００４６】
なお、別のコンテンツを表示させたい場合には、表示させたいコンテンツのデータが記憶された外部カード１１２を用意し、外部カード１１２を交換することによってコンテンツを切り換えることが可能である。また、１枚のカードに複数のコンテンツのデータを記憶し、その中から使用者に選択させることも可能である。
【００４７】
具体的には、予めＵＳＢコネクタ４０に切り換えスイッチ（図示せず）を接続する。切り換えスイッチとしては、例えば、一般にテンキーと称される入力機器が利用可能である。複数のコンテンツのデータが記憶されている外部カード１１２がカードスロット４４に挿入されると、制御回路１００は、自動的に外部カード１１２に記憶されているデータを読み取る。これにより、例えば、複数のコンテンツのデータに対応したサムネイル画像が液晶表示装置１０に表示される。そして、使用者は、切り換えスイッチを操作して、表示させたいコンテンツを選択する。これにより、制御回路１００は、選択されたコンテンツのデータに基づいて画像の表示を開始させる。
【００４８】
コンテンツのデータをセンタ・サーバ１５０にアップロードした場合には、予めＵＳＢコネクタ４０に切り換えスイッチ（図示せず）を接続する。この時、外部カード１１２はカードスロット４４に挿入しない。次に、液晶表示装置１０に電源を投入することにより、最初に表示されるブラウザ画面から、センタ・サーバ１５０にアクセスするという項目を、切り換えスイッチの操作によって選択する。そして、インターネット網２００を介してセンタ・サーバ１５０との通信が確立されると、コンテンツの選択画面が表示される。そして、アップロードしておいたコンテンツを選択し、外部カード１１２をカードスロット４４に挿入することにより、選択したコンテンツのデータがダウンロードされ、ダウンロード終了後、外部カード１１２のデータが、ダウンロードされたデータに更新される。そして、制御回路１００は、外部カード１１２に記憶されたコンテンツのデータに基づいて画像の表示を開始させる。
【００４９】
なお、別のコンテンツを表示させたい場合には、再度、センタ・サーバ１５０にアクセスして、新たにコンテンツのデータをダウンロードすることによってコンテンツを切り換えることが可能である。
【００５０】
そして、使用者は、外部カード１１２をカードスロット４４に挿入したのち、背負子部１４を背負うことにより、使用者の頭上において、液晶表示装置１０は、画像の表示を行うようになる。また、使用者が、看板装置１を背負った状態で移動することにより、周囲の不特定多数の人々に液晶表示装置１０の表示画面を視認させることが可能になる。
【００５１】
具体的な使用例としては、屋内競技場においてイベントを行う場合において、複数人に本実施形態の看板装置１を背負わせ、隊列を組んで通路を移動させることにより、パレード風にイベント告知を行うことが可能になる。また、イベントに向かう人々を誘導したり、イベントの案内をしたり、さらに、屋内競技場内外において目立つ宣伝を行うことができる。また、例えば、イベントに向かう人々を駅から屋内競技場まで誘導する際に、看板装置１を背負った作業員が所定区間だけ誘導してから、次の作業員に誘導してもらう、というリレー誘導を目立つように行うことができるため、イベントに向かう人々が道に迷うことが低減される。特に、夕方や夜において、液晶表示装置１０が見えるようになるため、イベントに向かう人々をより確実に誘導することができる。
【００５２】
なお、屋内競技場のイベントにおける使用例を説明したが、これは一例であって、他にも、チラシ配り、観光地の宣伝や案内、店舗のセールの宣伝や案内に利用してもよい。また、使用者が看板装置１を背負って使用しない場合には、看板装置１を専用スタンドに設置したり、あるいは、重量物や固定物に背負わせたりすることにより、ディスプレイとして使用することが可能となる。
【００５３】
以上、説明したように、本実施形態によれば、使用者が背負子部１４を背負うことにより、液晶表示装置１０を頭上に位置付けられるようになる。これにより、使用者による液晶表示装置１０の持ち運びが容易となり、液晶表示装置１０が画像の表示を行っている状態で、使用者が移動することによって、周囲の不特定多数の人々に液晶表示装置１０の表示画面を視認させることが可能になる。このように、高い機動性を実現した看板装置を提供することが可能になる。さらに、複数人に本実施形態の看板装置１を背負わせ、隊列を組んで移動させることにより、より目立つようになるため、不特定多数の人々に看板を見せるという看板の本来の目的を効率よく達成することが可能になる。
【００５４】
また本実施形態によれば、アーム１２の内部を電源ケーブル５０が通っているため、電源ケーブル５０において看板装置本体外に露出する部分が低減される。そのため、電源ケーブル５０が引っかかり、電源ケーブル５０が液晶表示装置１０の電源コネクタ４８あるいはバッテリ２０から抜けてしまうことが防止される。
【００５５】
また本実施形態によれば、アーム１２の内部に、例えば、液晶表示装置１０に画像表示させるための信号を送る信号ケーブルのように、画像表示に関わる部材が挿通されていない。このため、電源ケーブル５０からのノイズによる液晶表示装置１０の画像表示への影響が低減される。
【００５６】
また本実施形態によれば、背負子部１４を使用者に装着した際に、使用者の背骨のラインに液晶表示装置１０の重心が配置されるため、使用者が液晶表示装置１０をバランスよく支持することが可能になり、使用者が体感する重さを軽減することができる。
【００５７】
また本実施形態によれば、液晶表示パネル５２、制御回路１００及び記憶装置に相当する外部カード１１２は、液晶表示装置１０の筐体３０の内部に収納されているため、これらを接続する電源ケーブル５０以外のケーブルが短くて済むようになる。その結果、ノイズを発する信号ケーブル（例えば、ＬＶＤＳケーブル）をできるだけ短くすることが可能になる。また、制御回路１００は、ＬＳＩチップによって構成されているため、液晶表示装置１０の軽量化が可能になる。
【００５８】
以上、本実施形態について説明したが、本発明は、上述したものに限るものではない。例えば、使用者の頭部とアーム１２とを連結するベルト部材を設けることにより、使用者の頭上における液晶表示装置１０の揺れを抑えることが可能になる。これにより、液晶表示装置１０の重心の移動を小さくすることが可能になり、その結果、使用者が体感する重さを軽減することが可能になる。具体的には、使用者が着用する帽子あるいはヘルメットに、アーム１２と連結するベルト部材を設ける。また、本実施形態によれば、アーム１２は、金属パイプ材によって構成されており、断面形状が円形であるが、アーム１２の断面形状は円形でなくてもよい。例えば、断面形状が略Ｃ字状であってもよく、電源ケーブル５０が挿通できる程度の空間が確保されるのであれば、アーム１２の断面形状は特に問うものではない。さらには、アーム１２の一端部を扁平させ、アーム１２と取付板３２との接触面積を確保する。これにより、溶接による接合強度を高めるようにしてもよい。
【符号の説明】
【００５９】
１  看板装置
１０  液晶表示装置
１２  アーム
１２ａ  孔部
１４  背負子部
１４ａ、１４ｂ  長孔
１５  平面部
１６  肩掛け部
１８  収納部
１８ａ  支持部
１８ｂ  鉤部
２０  バッテリ
２２、２３、２４  ベルト
２５ａ、２５ｂ、２６ａ、２６ｂ  連結具
２７  肩当て
２８  カバー
３０  筐体
３２  取付板
３６  孔部
４０  ＵＳＢコネクタ
４２  ＤＶＩコネクタ
４４  カードスロット
４６  入力コネクタ
４８  電源コネクタ
５０  電源ケーブル
５２  液晶表示パネル
６０  止め具
１００  制御回路
１０２  ＣＰＵ
１０４  内蔵メモリ
１０６  液晶駆動回路
１０８  無線通信回路
１０９  アンテナ
１１０  外部コネクタ部
１１２  外部カード
１５０  サーバ
２００  インターネット網
【図１】
2012022163.tif 000003
【図２】
2012022163.tif 000004
【図３】
2012022163.tif 000005
【図４】
2012022163.tif 000006
【図５】
2012022163.tif 000007
【図６】
2012022163.tif 000008
【図７】
2012022163.tif 000009
【図８】
2012022163.tif 000010
【図９】
2012022163.tif 000011